(57)【要約】【課題】撮影状況に応じたライト照度の適正化を図ることが可能な携帯端末装置を提供する。【解決手段】画像制御処理部１１はカメラ部１５のズーム制御情報送信や画像処理を行い、カメラ制御部１４はそのズーム情報を基にカメラ部１５の制御を行う。カメラ部１５はズーム可変となっている。ライト制御部１２はズーム情報や画像処理情報を基にライト照度の変更を行い、ライト部１３は任意の照度で発光可能となっている。画像制御処理部１１はズーム情報（光学ズーム）をカメラ制御部１４に送信すると共に、そのズーム情報（光学ズーム）をライト制御部１２にも送信する。画像制御処理部１１はディジタルズーム情報や画像濃淡・輪郭といった画像処理情報をライト制御部１２に送信する。これらの情報はライト制御部１２において段階的なライト照度を制御するために用いられる。【選択図】      図１
2004274637.tif 000002
【特許請求の範囲】
【請求項１】
カメラモジュールによって撮影を行う際の照明機能であるライトモジュールと、前記カメラモジュールのズーム制御情報送信及び画像処理を行う画像制御処理手段とを含む携帯端末装置であって、
前記カメラモジュールから被写体までの距離に応じて前記ライトモジュールの照度を可変にする照度可変手段を有することを特徴とする携帯端末装置。
【請求項２】
前記照度可変手段は、前記カメラモジュールのズーム倍率に応じて前記ライトモジュールの撮影照度を変更することを特徴とする請求項１記載の携帯端末装置。
【請求項３】
前記照度可変手段は、前記画像処理の情報に応じて前記ライトモジュールの撮影照度を変更することを特徴とする請求項１または請求項２記載の携帯端末装置。
【請求項４】
カメラモジュールによって撮影を行う際の照明機能であるライトモジュールと、前記カメラモジュールのズーム制御情報送信及び画像処理を行う画像制御処理手段とを含む携帯端末装置のライト照度変更方法であって、
前記カメラモジュールから被写体までの距離に応じて前記ライトモジュールの照度を可変にする照度可変ステップを有することを特徴とするライト照度変更方法。
【請求項５】
前記照度可変ステップは、前記カメラモジュールのズーム倍率に応じて前記ライトモジュールの撮影照度を変更することを特徴とする請求項４記載のライト照度変更方法。
【請求項６】
前記照度可変ステップは、前記画像処理の情報に応じて前記ライトモジュールの撮影照度を変更することを特徴とする請求項４または請求項５記載のライト照度変更方法。
【請求項７】
カメラモジュールによって撮影を行う際の照明機能であるライトモジュールと、前記カメラモジュールのズーム制御情報送信及び画像処理を行う画像制御処理手段とを含む携帯端末装置のライト照度変更方法のプログラムであって、コンピュータに、前記カメラモジュールから被写体までの距離に応じて前記ライトモジュールの照度を可変にする処理を行わせるためのプログラム。
【発明の詳細な説明】
【０００１】
【発明の属する技術分野】
本発明は携帯端末装置及びそれに用いるライト照度変更方法並びにそのプログラムに関し、特に携帯端末装置に用いられるカメラ機能におけるライト照度変更方法に関する。
【０００２】
【従来の技術】
近年、携帯端末装置においては、多機能化が進んでおり、音楽再生機能やカメラ機能等を備えた端末も販売されている。この携帯端末装置に用いられる小型カメラでは、写真撮影やテレビ電話の際に、ライトなしでは露光が悪く、暗い画像や映像になってしまうことがある。
【０００３】
したがって、携帯端末装置においては、撮影補助機能としてのライトの重要性が高く、フラッシュを固定または着脱自在に取付けてフラッシュ撮影を可能としている（例えば、特許文献１参照）。
【０００４】
携帯端末装置のカメラ機能は、その構造上の理由から非常に小型なものが使用されている。小型カメラでの写真撮影や映像撮影において、より画像や映像が綺麗に見えるために、撮影照明機能としてライトが非常に重要になってきている。携帯端末装置では撮影のための補助光源として白色ＬＥＤ（Ｌｉｇｈｔ  Ｅｍｉｔｔｉｎｇ  Ｄｉｏｄｅ）等が用いられている。
【０００５】
現在、携帯端末の撮影照明のためのライトはその照度が撮影被写体までの距離にかかわらず一定である。暗い場所での撮影において照度を手動で段階的に変化させる機能はあるが、被写体との距離に関した機能構成にはなっていない。
【０００６】
現在使用されているカメラ付き携帯端末装置においては、ある一定の照度で照らすライトがほとんどである。中には照度照度値可変（例えば、５段階等）のライト付き携帯端末装置もあるが、それは暗い場所での撮影の補助を想定した機能であり、撮影前もしくは撮影時、使用者が自ら判断して調節を行わなければならない。
【０００７】
【特許文献１】
特開２００２−３７４３３１号公報（第９〜１３頁、図２）
【０００８】
【発明が解決しようとする課題】
上述した従来のカメラ付き携帯端末装置では、さらにズーム機能を搭載したカメラ付き携帯端末があるが、この場合の撮影補助機能としてのライトにおいては、被写体との距離を考慮した（自動）照度可変機能になっていない。
【０００９】
そこで、本発明の目的は上記の問題点を解消し、撮影状況に応じたライト照度の適正化を図ることができる携帯端末装置及びそれに用いるライト照度変更方法並びにそのプログラムを提供することにある。
【００１０】
【課題を解決するための手段】
本発明による携帯端末装置は、カメラモジュールによって撮影を行う際の照明機能であるライトモジュールと、前記カメラモジュールのズーム制御情報送信及び画像処理を行う画像制御処理手段とを含む携帯端末装置であって、
前記カメラモジュールから被写体までの距離に応じて前記ライトモジュールの照度を可変にする照度可変手段を備えている。
【００１１】
本発明によるライト照度変更方法は、カメラモジュールによって撮影を行う際の照明機能であるライトモジュールと、前記カメラモジュールのズーム制御情報送信及び画像処理を行う画像制御処理手段とを含む携帯端末装置のライト照度変更方法であって、
前記カメラモジュールから被写体までの距離に応じて前記ライトモジュールの照度を可変にする照度可変ステップを備えている。
【００１２】
本発明によるライト照度変更方法のプログラムは、カメラモジュールによって撮影を行う際の照明機能であるライトモジュールと、前記カメラモジュールのズーム制御情報送信及び画像処理を行う画像制御処理手段とを含む携帯端末装置のライト照度変更方法のプログラムであって、コンピュータに、前記カメラモジュールから被写体までの距離に応じて前記ライトモジュールの照度を可変にする処理を行わせている。
【００１３】
すなわち、本発明の携帯端末装置は、付随するカメラモジュールへの情報等を用いて撮影照明機能であるライトモジュールを制御し、被写体までの距離によって自動でライトモジュールの照度を可変にすることを特徴としている。
【００１４】
これによって、本発明の携帯端末装置では、暗い場所でのライトモジュールの制御だけではなく、明るい場所でも被写体との撮影距離に応じて自動でライトモジュールの照度を変更可能となり、カメラモジュールのズーム値だけでなく、画像処理値という２つの観点で制御を行うことで、カメラモジュールのズーム値による照度変更の誤りが補正可能となるので、使用者にとって撮影状況に応じたライトモジュールの照度の適正化が可能になる。
【００１５】
【発明の実施の形態】
次に、本発明の実施例について図面を参照して説明する。図１は本発明の一実施例による携帯端末装置の構成を示すブロック図である。図１において、携帯端末装置１は画像制御処理部１１と、ライト制御部１２と、ライト部１３と、カメラ制御部１４と、カメラ部１５と、記録媒体１６とから構成されている。
【００１６】
尚、携帯端末装置１の他の処理部分、例えば携帯電話端末であれば音声の入出力部分や無線通信部分、あるいはＰＤＡ（Ｐｅｒｓｏｎａｌ  Ｄｉｇｉｔａｌ  Ａｓｓｉｓｔａｎｔ）であれば表示部分や計算処理部分等は本発明に直接関係しないので、その構成及び動作の説明は省略する。
【００１７】
画像制御処理部１１はカメラ部１５のズーム制御情報送信や画像処理を行い、カメラ制御部１４はそのズーム情報を基にカメラ部１５の制御を行う。カメラ部１５はズーム可変となっている。
【００１８】
ライト制御部１２はズーム情報や画像処理情報を基にライト照度の変更を行い、ライト部１３は任意の照度で発光可能となっている。記録媒体１６は画像制御処理部１１、ライト制御部１２、カメラ制御部１４に制御動作を行わせるためのプログラム（コンピュータで実行可能なプログラム）を格納している。
【００１９】
画像制御処理部１１はズーム情報（光学ズーム）をカメラ制御部１４に送信すると共に、そのズーム情報（光学ズーム）をライト制御部１２にも送信する。さらに、画像制御処理部１１はディジタルズーム情報や画像濃淡・輪郭といった画像処理情報をライト制御部１２に送信する。これらの情報はライト制御部１２において段階的なライト照度を制御するために用いられる。
【００２０】
図２は図１の携帯端末装置１の各部の動作を示すシーケンスチャートである。これら図１及び図２を参照して本発明の一実施例による携帯端末装置１の各部の動作について説明する。
【００２１】
まず、画像制御処理部１１においてはズーム情報、画像処理情報に対応した信号が保持される（図２のａ１，ａ２）。ズーム情報とは、使用者が操作する光学ズーム値やディジタルズーム値等に対応した制御信号であり、本実施例ではこのズーム情報を基に被写体との距離に応じたライト照度変更を行う。
【００２２】
一方、画像処理情報とは、例えば画像の明るさ、鮮明さを数値化（エッジの長さや数等の閾値をパラメータとする）し、その値を５段階の３に設定する等といった場合の制御信号である。
【００２３】
画像制御処理部１１はその保持しているズーム情報を基にカメラ制御部１４（光学時）及びライト制御部１２、それぞれにズーム情報（ズーム値）を送信する（図２のａ３，ａ４）。カメラ制御部１４は受信したズーム値に応じてカメラ部１５を制御する（図２のａ５）。
【００２４】
一方、ライト制御部１２もテーブル（図示せず）を参照し、ズーム値に対応した照度制御をライト部１３に行う（図２のａ６，ａ７）。この状態で画像が取得される（図２のａ８）。
【００２５】
さらに、画像制御処理部１１はカメラ部１５及びカメラ制御部１４から送信されてくる取得画像データの解析を行い（図２のａ９〜ａ１１）、画像処理に関するデータを保持する。それらの画像処理データはライト制御部１２に送信される（図２のａ１２）。
【００２６】
ライト制御部１２では画像処理データに応じた照度の変更を行い（図２のａ１３）、その状態で再度画像が取得される（図２のａ１４）。画像処理データによる照度の変更はズームによる照度変更に対して補正として用いる。
【００２７】
このように、本実施例では、ズーム情報によって大きな照度変更を行い、画像処理情報によってそれを補正することで、被写体との距離に適したライト制御を行う。また、使用者から新規にズーム情報や画像処理情報が設定された場合には、その都度、この処理動作を繰り返す。
【００２８】
図３は図１のカメラ部１５のズーム機能による画像取得の動作を説明するための図であり、図４は被写体との距離と照度との関係を示す図であり、図５は図１のライト制御部１２の動作を示すフローチャートである。これら図１〜図５を参照して、画像制御処理部１１からライト制御部１２に送信されるデータ（ズーム情報、画像処理情報）によるライト制御部１２の動作について説明する。尚、図５に示す動作はライト制御部１２が記録媒体１６のプログラムを実行することで実現される。
【００２９】
まず、ズーム情報について述べる。一般に、光学ズーム機能では実際に撮影の焦点距離が変わっており、カメラ（レンズ）によってその値が決められている（例：光学２倍、３倍等）。図３に示すような取得画像を得ようとした場合、被写体との距離が２倍ならばズームを２倍にすれば、同様の画像が得られる。
【００３０】
しかしながら、ズームによって焦点距離が変化しており、ズーム無しの場合と同じ明るさの画像を得ようとするならば、照度を例えば２倍等にする必要がある。このように、ズームと被写体との距離は連動していると考えられ、ズーム率によってライト照度を変更すれば、被写体との距離によって照度を変更していることになる。
【００３１】
例えば、携帯端末装置１のライト部１３とは若干異なるが、一眼レフカメラの場合、適切な光の強さ（ＧＮ）はレンズ開口部に入ってくる光の量を調節する絞り（Ｆ）値と被写体との距離（Ｒ）とで決まってくる。その関係は、
ＧＮ＝Ｆ×Ｒ
である。
【００３２】
この絞り値は携帯端末装置１においては固定であるとすると、適切な明るさの画像を得るための被写体との距離と照度との関係は図４に示すようになる。ライト制御部１２では図４に示す直線の傾き（係数ａ）と、画像制御処理部１１から送信されるズーム値とによってその照度値が決められる。
【００３３】
次に、画像処理情報について述べる。画像制御処理部１１においては、取得画像に対して画像処理（例えば、濃淡画像に変換してエッジ検出やクラスタ比較等）を行い、得られる画像処理データと事前に保持されている情報（閾値）との比較・判定を行う。
【００３４】
ライト制御部１２では、その画像制御処理部１１の判定結果を基にライト照度を調節する。例えば、図５に示すように、エッジ部分の値（Ａ）がある閾値（Ｔｅ）より小さく（Ａ＜Ｔｅ）（図５ステップＳ１，Ｓ２）、画像が全体的に暗い部分が多い（画像の明るさの値Ｂ＜閾値ＴＬ＿ｌｏｗ）の場合（図５ステップＳ４，Ｓ５）、照度を上げる（図５ステップＳ６）。
【００３５】
逆に、エッジ部分の値（Ａ）が閾値（Ｔｅ）より小さく（Ａ＜Ｔｅ）（図５ステップＳ１，Ｓ２）、画像が全体的に明るい部分が多い（画像の明るさの値Ｂ＞閾値ＴＬ＿ｈｉｇｈ）の場合（図５ステップＳ７）、照度が強く、返って見難い画像になっているため、照度を落とす（図５ステップＳ８）等といった制御になる。この画像処理制御は閾値判定ＯＫ［照度そのまま（図５ステップＳ３，Ｓ９）］になるまで、画像取得→画像処理→照度変更の順で繰り返される。
【００３６】
本機能によって、閾値外に相当する画像が得られた場合、つまりズーム変更に伴って照度を変更された画像の明るさが悪い場合やズームによる照度の変更が適切でない場合（例えば、強すぎる）にも取得画像処理値が閾値内に収まる妥当な照度が保証される。これらの閾値をさらに段階的に細かく切り分けることによって、より細かな画像補正を行うことができる。
【００３７】
画像制御処理部１１はライト制御部１２に画像処理値を送信する。ライト制御部１２では画像処理値（ｕｐ，ｄｏｗｎ，ｋｅｅｐ）によって照度変更を行う。照度変更幅は任意の値ｂ（変更可能最小幅〜ズーム倍率による照度の変更幅）とする。
【００３８】
ライト制御部１２は画像制御処理部１１から送信された信号を基にライト部１３の制御を行う。例えば、ズーム倍率３倍が設定された場合、ｎｏｒｍａｌ値を１とすると、ライト部１３の照射度は、
ライト照射度＝３×ａ
という計算を行い、その照度を決定する。
【００３９】
その後、画像処理で閾値判定ＯＫの場合、照度はそのままとする。また、画像処理値ｄｏｗｎが３回、ライト制御部１２に送信された場合、その照度は、
ライト照射度＝（３×ａ）＋（−３×ｂ）
となる。
【００４０】
このように、本実施例では、暗い場所でのライト制御だけではなく、明るい場所でも被写体との撮影距離に応じて自動でライトの照度を変更することができ、ズーム値だけでなく、画像処理値という２つの観点で制御を行うことで、ズーム値による照度変更の誤りを補正することができるので、使用者にとって撮影状況に応じたライト照度の適正化が可能になる。
【００４１】
【発明の効果】
以上説明したように本発明は、上記のような構成及び動作とすることで、使用者にとって撮影状況に応じたライト照度の適正化を図ることができるという効果が得られる。
【図面の簡単な説明】
【図１】本発明の一実施例による携帯端末装置の構成を示すブロック図である。
【図２】図１の携帯端末装置の各部の動作を示すシーケンスチャートである。
【図３】図１のカメラ部のズーム機能による画像取得の動作を説明するための図である。
【図４】被写体との距離と照度との関係を示す図である。
【図５】図１のライト制御部の動作を示すフローチャートである。
【符号の説明】
１  携帯端末装置
１１  画像制御処理部
１２  ライト制御部
１３  ライト部
１４  カメラ制御部
１５  カメラ部
１６  記録媒体
【図１】
2004274637.tif 000003
【図２】
2004274637.tif 000004
【図３】
2004274637.tif 000005
【図４】
2004274637.tif 000006
【図５】
2004274637.tif 000007